(57)【要約】【課題】寸法の異なる複数種類の本体に対応可能な照明装置を提供すること。【解決手段】照明装置４は、少なくとも１つの側面２に開口部２ａを有する箱型の本体１内に収容されている。照明装置４は、本体１内において、第１端の側に設けられた光源と、第２端の側に設けられた反射部材６と、本体１の内側に対して、反射部材６を固定する固定部材７と、を備えている。反射部材６は、光源５２の光を反射して、パネル３３から外方へ出射させている。反射部材６は、シート状かつ可撓性を有する材料で形成されている。施工の現場で、本体１の大きさや固定部材７の大きさに応じて、反射部材６を切断することができ１種類の反射部材６で、寸法が異なる複数種類の本体１に対応させることができる。よって、寸法の異なる複数種類の本体１に対応可能な照明装置４を提供することが可能である。【選択図】図１
2017174557.tif 000002
【特許請求の範囲】
【請求項１】
少なくとも１つの側面に開口部を有する箱型の本体内に収容され、前記開口部を塞いでいるパネルを通して前記本体の外に光を照射する照明装置であって、
前記本体内において、前記パネルの厚み方向と交差する方向の一つの端を前記本体内における第１端とし、前記第１端と対向する端を第２端としたとき、前記本体内において、前記第１端の側に設けられた光源と、前記本体内において、前記第２端の側に設けられた反射部材と、前記本体の内側に対して、前記反射部材を固定する固定部材と、を備え、
前記反射部材は、前記光源の光を反射して、前記パネルから外方へ出射させており、
さらに、前記反射部材は、シート状かつ可撓性を有する材料で形成されていることを特徴とする照明装置。
【請求項２】
前記反射部材は、長尺の材料で形成されており、
前記反射部材の長さ方向の中央部が前記光源の近傍に至るまで、前記反射部材は前記第２端の側から前記第１端の側まで設けられていることを特徴とする請求項１記載の照明装置。
【請求項３】
前記反射部材は、合成樹脂又はガラス繊維で形成されていることを特徴とする請求項１または２に記載の照明装置。
【請求項４】
前記固定部材は、前記本体内において、前記第１端から前記第２端に向かうにつれ、前記パネルに近付くように、前記反射部材を前記本体内に固定することを特徴とする請求項１から請求項３に記載の照明装置。
【請求項５】
前記本体内に固定された軸部を備え、
前記軸部は、前記パネルの厚み方向及び前記第１端と前記第２端とを結ぶ方向に対して直交する方向に延びる棒状に形成され、
前記反射部材は、前記反射部材の長手方向の途中部分が、前記第１端側から前記軸部に接触した状態で、前記第２端側の両端部が前記固定部材により前記本体内に固定されることを特徴とする請求項１乃至４のいずれか１項に記載の照明装置。
【請求項６】
前記固定部材は、挟持部を備え、
前記挟持部は、前記反射部材の短手方向に沿って、前記反射部材の第２端側の端部を挟んだ状態で、前記本体内に固定されることを特徴とする請求項１乃至５のいずれか１項に記載の照明装置。
【発明の詳細な説明】
【技術分野】
【０００１】
本発明は、照明装置に関し、より詳細には、パネルに対して光を照射して照明する照明装置に関する。
【背景技術】
【０００２】
従来、蛍光ランプを光源とし、バックライト照明等を行う照明器具が知られている。例えば、特許文献１には、透光性を有するパネルを備える筐体と、筐体内に設けられる光源と、筐体内に設けられ光源の光を反射してパネルから外方へ出射させる反射部材とを備えた照明器具が記載されている。特許文献１記載の反射部材は、ステンレス板等が曲成されて形成されている。
【先行技術文献】
【特許文献】
【０００３】
【特許文献１】特開２００７−８０６８１号公報
【発明の概要】
【発明が解決しようとする課題】
【０００４】
ところで、照明用の光源として発光ダイオードが普及するにつれ、既存の照明装置の光源を、蛍光ランプから発光ダイオード（ＬＥＤ）に変更することが望まれている。また、光源の変更に際して、蛍光ランプや反射部材等が収容されている筐体が流用されることが好ましい。
【０００５】
しかしながら、特許文献１記載の照明器具のように、反射部材が金属材料で形成されている場合、蛍光ランプからＬＥＤへの変更に伴って、反射部材の形状や大きさを変更することは容易ではない。
【０００６】
本発明の目的は、寸法の異なる複数種類の本体に対応可能な照明装置を提供することである。
【課題を解決するための手段】
【０００７】
本発明の一態様に係る照明装置は、少なくとも１つの側面に開口部を有する箱型の本体内に収容されている。前記照明装置は、前記開口部を塞いでいるパネルを通して前記本体の外に光を照射する。前記照明装置では、前記本体内において、前記パネルの厚み方向と交差する方向の一つの端を前記本体内における第１端とし、前記第１端と対向する端を第２端とする。前記照明装置は、前記本体内において、前記第１端の側に設けられた光源を備えている。前記照明装置は、前記本体内において、前記第２端の側に設けられた反射部材を備えている。前記照明装置は、前記本体の内側に対して、前記反射部材を固定する固定部材を備えている。前記反射部材は、前記光源の光を反射して、前記パネルから外方へ出射させている。さらに、前記反射部材は、シート状かつ可撓性を有する材料で形成されている。      
【発明の効果】
【０００８】
本発明によれば、寸法の異なる複数種類の本体に対応可能な照明装置を提供することができる。
【図面の簡単な説明】
【０００９】
【図１】図１Ａは本発明の一実施形態に係る照明装置の断面図であり、図２に示すＸ３−Ｘ３断面矢視図である。図１Ｂは図１Ａに示す領域Ｘ１の拡大断面図である。図１Ｃは図１Ａに示す領域Ｘ２の拡大断面図である。
【図２】図２は同上の照明装置の一部を省略した正面断面図である。
【図３】図３Ａは同上の照明装置の取付ユニットの斜視図である。図３Ｂは同上の取付ユニットの一部を省略した分解斜視図である。
【図４】図４Ａは同上の照明装置の挟持部の右側断面図である。図４Ｂは同上の挟持部の要部拡大図である。
【図５】図５は同上の照明装置の本体内における光路を説明するための断面図である。
【図６】図６Ａは同上の照明装置の変形例１における固定部材を含む要部の断面図である。図６Ｂは同上の変形例１における照明装置の固定部材の分解斜視図である。
【図７】図７Ａは同上の照明装置の変形例２における固定部材を含む要部の断面図である。図７Ｂは同上の変形例２における固定部材の分解斜視図である。
【図８】図８Ａは同上の照明装置の変形例３における固定部材を含む要部の断面図である。図８Ｂは同上の変形例３における固定部材の分解斜視図である。
【図９】図９Ａは同上の照明装置の変形例４における固定部材を含む要部の断面図である。図９Ｂは同上の変形例４における固定部材の分解斜視図である。
【発明を実施するための形態】
【００１０】
以下、本発明の一実施形態に係る照明装置について、図面を参照して詳細に説明する。
【００１１】
なお、以下の実施形態で説明する構成は本発明の一例に過ぎない。本発明は、以下の実施形態に限定されず、本発明に係る技術思想を逸脱しない範囲であれば、設計等に応じて種々の変更が可能である。また、以下の説明では特に断りがない限り、図１Ａに示す向きにおいて照明装置４の上下左右前後の方向を規定する。
【００１２】
照明装置４は、図１Ａに示すように、少なくとも１つの側面２に、開口部２ａを有する箱型の本体１内に収容されている。照明装置４は、例えば鉄道の駅等において、駅名を表示する表示灯として用いられている。なお、照明装置４は、天井埋込型の照明装置として、上端部が、天井材（図示しない）に埋込設置されている。なお、照明装置４は、例えば吊りボルト（図示しない）に固定され、天井材（図示しない）に取り付けられることが好ましい。
【００１３】
本体１は、前側板２４、後側板２５、右側板（図示しない）及び左側板２７を有している。本体１は、箱型に形成されている。なお、側面２として、図１Ａに示すように、前側板２４と後側板２５とを例示する。また、開口部２ａとして、前側板２４に形成された開口部２４ａと、後側板２５に形成された開口部２５ａとを例示する。開口部２ａは、図１Ａに示すように前後方向に一対のパネル３３により塞がれている。なお、パネル３３について、開口部２４ａを塞ぐパネルを前表示パネル３４と呼び、後方に位置するパネルを後表示パネル３５と呼ぶ。なお、前表示パネル３４及び後表示パネル３５は、平板状に形成されている。また、前表示パネル３４は、開口部２４ａを閉塞できる程度の大きさに形成されている。後表示パネル３５は、開口部２５ａを閉塞できる程度の大きさに形成されている。前表示パネル３４の表面及び後表示パネル３５の表面には、例えば照明装置４を設置する鉄道の駅の駅名や、設置する駅の隣駅の駅名等を示す文字が付されていることが好ましい。なお、前表示パネル３４及び後表示パネル３５は、例えばアクリル樹脂等の透光性を有する部材で構成されていることが好ましい。
【００１４】
また、本体１は、天板２２と、天板２２に対して下方に配置された底板２８とを有する。天板２２は、左右方向に延びる矩形状の板金で形成されている。天板２２には、上下方向に貫通するねじ挿通孔２２１が左右方向に並んで２つ形成されている（図１Ａ参照）。
【００１５】
本体１の内部には、図１Ａに示すように照明装置４が配置されている。照明装置４は、取付ユニット４０、反射部材６及び固定部材７を備えている（図１Ａ参照）。また、照明装置４は、本体１内において、パネル３３の厚み方向（前後方向）と交差する方向（上下方向）の第１端側（下端側）に設けられた光源５２を備えている。
【００１６】
取付ユニット４０は、底板２８の上面に配置されている。取付ユニット４０は、底板２８の上面に配置された取付金具４１と、取付金具４１に固定された反射板４２とを有する。取付金具４１は、左右方向に延びる被固定片４１１と、被固定片４１１の左右方向に両端から上方に延びる連結片４１２とを有する。また、取付金具４１は、連結片４１２の上端から左右方向の外側に延びる固定片４１３を有する（図３Ｂ参照）。被固定片４１１、連結片４１２及び固定片４１３は、金属板によって一体に形成されている。被固定片４１１には、ねじ挿通孔２８１に対応する位置に、上下方向に貫通する挿通孔４１４が左右方向に並んで２つ形成されている。そして、下方からねじ挿通孔２８１と挿通孔４１４とに挿通されたねじ８００にナット８０１が締め付けられて固定されている（図２参照）。これにより、取付金具４１が底板２８に固定されている。固定片４１３には、上下方向に貫通するねじ孔４１５が形成されている。
【００１７】
反射板４２は、左右方向に延びる反射片４２１と、反射片４２１の左右方向の両端から上方に延びる軸固定金具４３とを有する（図３Ｂ参照）。反射片４２１と軸固定金具４３とは、金属板によって一体に形成されている。また、反射板４２は、例えば反射率の高い白色の塗料等で塗装されていることが好ましい。反射片４２１には、左右方向の中央の位置に、上下方向に貫通する電源固定孔４２２が左右方向に並んで２つ形成されている。反射片４２１の下方には、左右方向の中央の位置に、電源ユニット５０が配置されている（図３Ａ参照）。電源ユニット５０は、上方から電源固定孔４２２に挿通されたねじ（図示しない）により、反射片４２１の下面に固定されている。反射片４２１には、ねじ孔４１５に対応する位置に、上下方向に貫通するねじ挿通孔４２３が左右方向に並んで２つ形成されている。そして、上方からねじ挿通孔４２３に挿通されたねじ８０２がねじ孔４１５にねじ込まれている。これにより、取付金具４１の固定片４１３に反射片４２１が固定されている（図３Ａ参照）。また、反射片４２１には、左右両端の位置に、上下方向に貫通するソケット挿入穴４２４が左右方向に並んで２つ形成されている（図３Ｂ参照）。ソケット挿入穴４２４は、四角形状に形成されている。取付ユニット４０は、一対のランプソケット５１を有する。一対のランプソケット５１は、それぞれ２つのソケット挿入穴４２４のうち対応するソケット挿入穴４２４に下方から挿入されて、反射片４２１の上側に突出した状態で反射板４２に取り付けられている（図３Ａ参照）。なお、左側のランプソケット５１は、ケーブル５３を介して、電源ユニット５０に電気的に接続される（図３Ｂ参照）。ランプソケット５１には、光源５２が着脱可能に装着されている（図２参照）。光源５２は、電源ユニット５０から給電されることで点灯する。なお、光源５２として、日本電球工業会規格ＪＥＬ８０１「Ｌ形ピン口金ＧＸ１６ｔ−５付直管形ＬＥＤランプシステム（一般照明用）」に準拠した直管ＬＥＤランプが用いられている。ただし、光源５２は、上記の規格に準拠した直管ＬＥＤランプに限定されない。光源５２として、例えば上記の規格に準拠しない直管ＬＥＤランプや、直管形の蛍光灯を用いることも可能である。また、光源５２として、長尺の基板に複数のＬＥＤが実装されたＬＥＤモジュールが用いられていてもよい。
【００１８】
一対の軸固定金具４３のそれぞれの上端部には、左右方向に貫通するねじ挿通孔４３１が形成されている（図３Ｂ参照）。一対の軸固定金具４３の間には、軸部５５が配置されている（図３Ａ参照）。軸部５５は、左右方向に延びる丸棒状に形成されている。軸部５５の長手方向（軸方向）の両端面の中央の位置に、ねじ孔５５ａが形成されている（図３Ｂ参照）。そして、これら２つのねじ孔５５ａのそれぞれに、ねじ挿通孔４３１に左右方向の外方から挿通されたねじ５６がねじ込まれている。よって、軸部５５が一対の軸固定金具４３の左右方向の内面に取り付けられている（図３Ａ参照）。なお、軸部５５の直径は、直径Ｄ１とする。
【００１９】
本体１内において、光源５２に対して、光源５２を挟んで第１端（下端）と対向する第２端側（上端側）には、反射部材６が配置されている（図１Ａ参照）。反射部材６は、左右方向に直交する方向（上下方向）に延びる長尺のシート状に形成されている。なお、反射部材６は、可撓性を有する材料で形成されている。反射部材６は、例えば合成樹脂又はガラス繊維で構成された布状に形成されていることが好ましい。また、反射部材６は、少なくともパネル３３に対向する面が、例えば、反射率の高い白色の塗料等で塗装されていることが好ましい。
【００２０】
固定部材７は、反射部材６を本体１の内側、具体的には、天板２２の下面に固定している。固定部材７は、図１Ａに示すように被固定部７０と、被固定部７０の下方に配置された前後方向に一対の挟持部７１とを有する。なお、一対の挟持部７１について、図１Ｂに示すように前方に位置する挟持部を前挟持部７１ａと呼び、図１Ｃに示すように後方に位置する挟持部を後挟持部７１ｂと呼ぶ。被固定部７０は、左右方向に延びる被固定片７０１と、被固定片７０１の前後方向両端から下方に延びる連結片７０２と、連結片７０２の下端から前後方向の外側に延びるフック固定片７０３とを有する。なお、被固定片７０１、連結片７０２及びフック固定片７０３は、金属板によって一体に形成されている。被固定片７０１には、ねじ挿通孔２２１に対応する位置に、挿通孔７０４が左右方向に並んで２つ形成されている。そして、上方からねじ挿通孔２２１と挿通孔７０４とに挿通されたねじ８０９にナット８１０が締め付けられて固定される。よって、被固定部７０が天板２２の下面に固定される（図１Ａ参照）。なお、フック固定片７０３について、前方に位置するフック固定片を前フック固定片７０３ａと呼び、後方に位置する固定片を後フック固定片７０３ｂと呼ぶ。前フック固定片７０３ａの下面及び後フック固定片７０３ｂの下面には、引掛けフック７０５が左右方向に並んで２つずつ固定されている。引掛けフック７０５は、前後方向の内側に折り曲がる鉤状に形成されていることが好ましい。
【００２１】
前フック固定片７０３ａの下方には、図１Ａに示すように前挟持部７１ａが引掛けフック７０５に支持されている。前挟持部７１ａは、図１Ｂに示すようにシート取付金具７２ａと、シート取付金具７２ａの前面に取り付けられるシート押さえ金具７３ａとを有する。シート取付金具７２ａは、図１Ｂに示すように左右方向に延びる固定片７２１と、固定片７２１の前端から下方に折り曲げられて形成されたシート取付片７２２とを有する。シート取付金具７２ａは、板金によって形成されている。また、後フック固定片７０３ｂの下方には、図１Ａに示すように後挟持部７１ｂが引掛けフック７０５に支持されている。後挟持部７１ｂは、図１Ｃに示すようにシート取付金具７２ｂと、シート取付金具７２ｂの後面に取り付けられるシート押さえ金具７３ｂとを有する。シート取付金具７２ｂは、図１Ｃに示すように左右方向に延びる固定片７２１と、固定片７２１の後端から下方に折り曲げられて形成されたシート取付片７２２とを有する。シート取付金具７２ｂは、板金によって形成されている。ここで、図１Ａに示すようにシート取付金具７２ａのシート取付片７２２の前面と、シート取付金具７２ｂのシート取付片７２２の後面との距離をＤ２とする。距離Ｄ２は、被固定部７０の前後方向の長さ寸法により決まっている。被固定部７０は、距離Ｄ２を軸部５５の直径Ｄ１よりも大きくするように形成されている。固定片７２１の上面には、引掛けフック７０５に対応する位置に、取付フック７２４が左右方向に並んで２つずつ配置されている。取付フック７２４は、金属材料によってＵ字状に形成されている。取付フック７２４は、図４Ｂに示すように一対の脚部７２４ａを有する。また、一対の脚部７２４ａのそれぞれの先端部には、雄ねじ７２４ｂが形成されている。そして、固定片７２１に形成された孔（図示しない）に上方から挿通された一対の脚部７２４ａの各雄ねじ７２４ｂに、ナット７２５が締め込まれている。したがって、取付フック７２４が固定片７２１の上面に固定される。また、引掛けフック７０５には、取付フック７２４が引っ掛けられている。よって、引掛けフック７０５及び取付フック７２４を介して、シート取付金具７２と被固定部７０とが連結されている。シート取付片７２２には、前後方向に貫通する挿通孔７２３が、左右方向に所定の間隔を空けて２つずつ形成されている（図４Ａ参照）。前シート押さえ金具７３ａ及び後シート押さえ金具７３ｂには、挿通孔７２３に対応する位置に、前後方向に貫通する被固定孔７３１が、左右方向に２つずつ並んで形成されている。
【００２２】
シート取付金具７２ａの前面と前シート押さえ金具７３ａの後面とが、反射部材６の前側の上端を挟んだ状態で、前方から被固定孔７３１と挿通孔７２３とに挿通されたねじ８１１に、ナット８１２が締め込まれている（図１Ｂ参照）。よって、反射部材６の前側の上端部がシート取付金具７２ａと前シート押さえ金具７３ａとの間に固定される。また、シート取付金具７２ｂの後面と後シート押さえ金具７３ｂの前面とが、反射部材６の後側の上端を挟んだ状態で、後方から被固定孔７３１と挿通孔７２３とを挿通したねじ８１１に、ナット８１２が締め込まれている（図１Ｃ参照）。よって、反射部材６の後側の上端部がシート取付金具７２ｂと後シート押さえ金具７３ｂとの間に固定される。これにより、反射部材６の前後方向の両側の上端部が固定部材７に固定された状態で、天板２２の下面に固定されている。
【００２３】
次に、固定部材７を介して、本体１内に反射部材６を固定する手順について説明をする。
【００２４】
まず、最初に、作業者は、反射部材６の短手方向（左右方向）の幅の寸法と、隣り合う被固定孔７３１同士の間の距離とを測定する。作業者は、例えば巻芯（図示しない）に巻かれた反射部材６の自由端を、軸部５５と光源５２との間を前方から挿通させる。そして、反射部材６の自由端を、上方に引っ張る。続けて、作業者は、反射部材６の短手方向の幅の寸法が、被固定孔７３１同士の間の距離よりも小さくなるように、鋏９００等を用いて、反射部材６を長手方向（上下方向）に沿って切断する。
【００２５】
次に、作業者は、天板２２のねじ挿通孔２２１と被固定部７０の挿通孔７０４とを位置合わせする。そして、作業者は、上方からねじ挿通孔２２１と挿通孔７０４にねじ８０９を挿通させた後に、ねじ８０９にナット８１０を締め込む。これにより、被固定部７０が天板２２の下面に固定される。続けて、作業者は、後フック固定片７０３ｂの引掛けフック７０５に、シート取付金具７２ｂの取付フック７２４を引っ掛ける。よって、シート取付金具７２ｂと被固定部７０とが連結される。また、作業者は、前フック固定片７０３ａの引掛けフック７０５に、シート取付金具７２ａの取付フック７２４を引っ掛ける。これにより、シート取付金具７２ａと被固定部７０とが連結される。作業者は、シート取付金具７２ｂの後面と後シート押さえ金具７３ｂの前面との間に、反射部材６の後側の上端部を挟み込む。このとき、作業者は、隣り合う被固定孔７３１に挟まれた位置に、反射部材６が配置されるように、シート取付金具７２ｂに対して、反射部材６を左右方向に相対的に移動させる。また、作業者は、後シート押さえ金具７３ｂの上端と、反射部材６の自由端（後側の上端）とが重なるように、シート取付金具７２ｂに対して、反射部材６を上下方向に相対的に移動させる。そして、作業者は、後方から被固定孔７３１と挿通孔７２３を挿通したねじ８１１に、ナット８１２を締め込む。これにより、シート取付金具７２ｂの後面と、後シート押さえ金具７３ｂの前面とにより反射部材６の後側の上端部が挟まれた状態で、固定される。したがって、反射部材６の後側の上端部は、固定部材７を介して、天板２２の下面に固定される。
【００２６】
次に、作業者は、反射部材６において、軸部５５よりも前側の部分を、上方に引っ張る。これにより、反射部材６の長手方向の途中部分６ａ（例えば図３Ａに示す長手方向の中央部）が、第１端側（図３Ａに示す下端側）から軸部５５の周面に接触する。
【００２７】
作業者は、シート取付金具７２ａの前面と後シート押さえ金具７３ａの後面との間に、反射部材６の前側の上端部分を挟み込む。このとき、作業者は、２つの被固定孔７３１に挟まれた位置に反射部材６が配置されるように、シート取付金具７２ａに対して、反射部材６を左右方向に相対的に移動させる。そして、作業者は、下方から軸部５５の周面に反射部材６の途中部分６ａが接触した状態で、前方から被固定孔７３１と挿通孔７２３を貫通したねじ８１１に、ナット８１２を締め込む。よって、シート取付金具７２ａの前面と、前シート押さえ金具７３ａの後面とにより反射部材６の前側の上端部分が挟まれた状態で、固定される。したがって、反射部材６の前側の上端部分は、固定部材７を介して、天板２２の下面に固定される。これにより、反射部材６の途中部分６ａが、軸部５５の周面に接触された状態で、反射部材６の前後方向の両側の上端部が本体１の内側に取り付けられる。
【００２８】
最後に、作業者は、鋏９００等を用いて、シート取付金具７２ａ及び前シート押さえ金具７３ａよりも上方に突出した反射部材６の前側の上端部を、左右方向に沿って切断する。よって、反射部材６が巻芯から切り離される。これにより、反射部材６の前側の上端部から、シート取付金具７２ａ及び前シート押さえ金具７３ａよりも上方の部分、すなわち、余った部分が取り除かれる。上記の作業により、固定部材７を介する反射部材６の本体１内への固定が完了する。
【００２９】
ここで、特許文献１記載の照明器具では、反射部材は、板状のステンレス等の金属材料が曲成されて形成されている。そして、反射部材の形状や、大きさの変更しようとすると、反射部材の重量により反射部材を動かすことが困難であり、加工にも手間がかかってしまう場合がある。よって、施工に要する手間や時間が余分にかかってしまうという問題があった。
【００３０】
これに対して、照明装置４は、シート状かつ可撓性を有する材料で形成された反射部材６を備えている。これにより、作業者は、施工の現場で、本体１の大きさや固定部材７の大きさに応じて、反射部材６を加工することができる。これにより、特許文献１記載の板状のステンレス等の金属材料で形成された反射部材に比べて、施工の現場で反射部材６を容易に加工することができる。したがって、施工の現場において、１種類の反射部材６で、寸法が異なる複数種類の本体１に対応させることができる。よって、寸法の異なる複数種類の本体１に対応可能な照明装置４を提供することが可能である。
【００３１】
反射部材６は１枚のシート状の材料で形成されている。これにより、複数枚の材料で形成された反射部材に比べて、少ない部品数の固定部材７により、本体１の内側に反射部材６を固定することができる。
【００３２】
また、反射部材６は合成樹脂又はガラス繊維で形成されることが好ましい。これにより、反射部材６の単位体積あたりの比重を小さくすることができる。よって、反射部材６の移動に要する手間や時間を低減することが可能である。また、鋏９００等を用いて、反射部材６を加工することができる。よって、反射部材６の加工に要する手間や時間を低減することが可能である。
【００３３】
また、外部電源（図示しない）により照明装置４に電力が供給されると、電源ユニット５０が、ケーブル５３を介して、ランプソケット５１に直流電力を出力する。したがって、光源５２は、電源ユニット５０から給電されることで点灯する。そして、光源５２から出射された光は、パネル３３（図５に示す前表示パネル３４及び後表示パネル３５）を通して本体１の外方に出射される。また、前表示パネル３４及び後表示パネル３５に対する入射角度によっては、光源５２から出射された光が、前表示パネル３４及び後表示パネル３５で全反射される。照明装置４では、全反射された光を反射部材６に反射させて、前表示パネル３４及び後表示パネル３５に入射させている。
【００３４】
ここで、光源５２は、反射部材６よりも下方の位置、すなわち、本体１内において下側の位置に設けられている。この場合、第１端から第２端（下端から上端）に向かうにつれて、すなわち、光源５２から離間するにつれて、発光面（パネル３３の表面）の輝度が低下してしまう。したがって、発光面の均斉度が低下してしまう問題があった。
【００３５】
これに対して、照明装置４では、固定部材７は、シート取付金具７２ａのシート取付片７２２の前面と、シート取付金具７２ｂのシート取付片７２２の後面との距離Ｄ２が、軸部５５の直径の寸法Ｄ１よりも大きくなるように構成されている（図１Ａ参照）。すなわち、図５に示すように固定部材７は、本体１内において、下端側から上端側に向かうにつれて、パネル３３に近付くように、反射部材６を天板２２の下面に固定させている。これにより、本体１の上端側から外方へ出射される光の量を増加させることができる。よって、発光面の上端側において、輝度が低減されることが抑制されており、良好な均斉度を得ることができる。
【００３６】
また、照明装置４は、左右方向に延びる棒状の軸部５５を備えている。そして、反射部材６の前後方向の上側の両端部は、反射部材６の長手方向の途中部分６ａが下端側から軸部５５に接触した状態で、固定部材７により天板２２の下面に固定されている。これにより、照明装置４では、固定部材７が反射部材６の上側の両端部を天板２２に固定させていることに加えて、軸部５５の周面が反射部材６の途中部分６ａを固定させることができる。よって、固定部材７のみが反射部材６を本体１内に固定させる場合に比べて、反射部材６を本体１内に確実に固定させることができる。
【００３７】
また、固定部材７は、挟持部７１を備えている。挟持部７１は、反射部材６の短手方向（左右方向）に沿って、反射部材６の上下方向の端部を挟んだ状態で、天板２２の下面に固定されている。したがって、固定部材７は、反射部材６の表面がパネル３３に対向した状態で、反射部材６を本体１内に固定することができる。
【００３８】
また、実施形態に係る照明装置４として、固定片７２１の上面に取付フック７２４が固定されたシート取付金具７２ａ及びシート取付金具７２ｂを例示したが、これに限定されない。例えば図６Ａに示す変形例１のように、取付フック７２４が固定されたシート取付金具７２ａ及びシート取付金具７２ｂに替えて、前後方向に一対のシート取付金具７５を用いてもよい。なお、一対のシート取付金具７５について、前方に位置するシート取付金具を前シート取付金具７５ａと呼び、後方に位置するシート取付金具を後シート取付金具７５ｂと呼ぶ。前シート取付金具７５ａ及び後シート取付金具７５ｂは、上下方向に延びる取付片７５１と、取付片７５１の下端から前後方向の外側に延びる固定片７２１とを有する。また、前シート取付金具７５ａ及び後シート取付金具７５ｂは、シート取付片７２２を有する。なお、取付片７５１、固定片７２１及びシート取付片７２２は、金属板によって一体に形成されている。取付片７５１には、引掛けフック７０５に対応する位置に、被引掛け孔７５２が左右方向に並んで２つ形成されている（図６Ｂ参照）。そして、引掛けフック７０５に被引掛け孔７５２が挿通されることで、引掛けフック７０５に取付片７５１が引っ掛けられている。よって、引掛けフック７０５及び被引掛け孔７５２を介して、シート取付金具７５が被固定部７０に取り付けられている。
【００３９】
また、実施形態に係る照明装置４として、ねじ８０９により天板２２の下面に被固定部７０を固定する構成を例示したが、これに限定されない。例えば図７Ａに示す変形例２のように、固定部材７は、前後方向に一対に配置された取付金具７６を用いてもよい。なお、一対の取付金具７６について、前方に位置する取付金具を前取付金具７６ａと呼び、後方に位置する取付金具を後取付金具７６ｂと呼ぶ。前取付金具７６ａ及び後取付金具７６ｂは、左右方向に延びる取付片７６１と、取付片７６１の前後方向の外端から下方に延びる連結片７６２とを有する。また、前取付金具７６ａ及び後取付金具７６ｂは、連結片７６２の下端から前後方向の外側に延びる固定片７２１と、シート取付片７２２とを有する。取付片７６１、連結片７６２、固定片７２１及びシート取付片７２２は、金属板によって一体に形成されている。取付片７６１は、ねじ挿通孔２２１に対応する位置に、前後方向に延びる長孔７６１ｃが左右方向に並んで２つ形成されている（図７Ｂ参照）。また、前取付金具７６ａの取付片７６１の下側には、後取付金具７６ｂの取付片７６１が重ねられて配置されている。そして、上方から、ねじ挿通孔２２１及び各長孔７６１ｃに挿通されたねじ８０９に、ナット８１０が締め込まれている。これにより、取付金具７６が天板２２の下面に取り付けられる。したがって、長孔７６１ｃに沿って、前取付金具７６ａ及び後取付金具７６ｂが前後方向に移動できる（図７Ａ参照）。よって、固定部材７を介して、本体１内に反射部材６が固定される固定位置を前後方向に調整することができる。
【００４０】
また、実施形態に係る照明装置４として、引掛けフック７０５を介して、本体１内に反射部材６を固定する固定部材７を例示したが、これに限定されない。例えば図８Ａに示す変形例３のように、引掛けフック７０５を介さずに、本体１内に反射部材６を固定する固定部材７を用いてもよい。固定部材７は、例えば取付金具７６と、永久磁石で構成された固定部７７とを有する。固定部７７は、図８Ａに示すように前取付金具７６ａの取付片７６１の上面に固定されている。固定部７７は、図８Ｂに示すように左右方向に並んで２つ配置されている。固定部７７は、円柱状に形成されている。照明装置４では、固定部７７の磁力により、前取付金具７６ａの取付片７６１の上面と天板２２の下面とが連結されている。また、固定部７７の磁力により、前取付金具７６ａの取付片７６１の下面と、後取付金具７６ｂの取付片７６１の上面とが連結されている。よって、固定部材７は、反射部材６を天板２２の下面に固定している。これにより、照明装置４では、天板２２の下面に固定部材７を取り付ける作業の過程で、ねじで天板２２と固定部材７とを固定させる必要がない。したがって、天板２２と、取付片７６１との両方にねじを通す必要が無く、作業工程から天板２２と固定部材７との両方にねじを通す工程を省くことができる。よって、ねじで天板２２と固定部材７とを固定する場合に比べて、施工に要する手間を低減することができるとともに、施工に要する作業時間を短縮することができる。したがって、本体１内に固定部材７を容易に取り付けることができる。また、照明装置４では、固定部材７を介して、天板２２の下面に反射部材６を取り付ける作業の過程で、引掛けフック７０５に取付フック７２４を引っ掛ける必要がない。これにより、引掛けフック７０５に取付フック７２４を取り付ける工程を省くことができる。よって、引掛けフック７０５及び取付フック７２４を介して、天板２２に反射部材６を固定する場合に比べて、施工に要する手間を低減することができるとともに、施工に要する作業時間を短縮することができる。よって、本体１内に反射部材６を容易に取り付けることができる。
【００４１】
また、例えば図９Ａに示す変形例４のように、引掛けフック７０５及び取付フック７２４に替えて、例えば、弾性部材（例えば、鋼材）を用いて、反射部材６を本体１内に固定させてもよい。
【００４２】
挟持部７１は、図９Ｂに示すように前後方向に一対に配置された挟持部７８と、ばね部７９とを有する。なお、一対の挟持部７８について、前方に位置する挟持部を前挟持部７８ａと呼び、後方に位置する挟持部を後挟持部７８ｂと呼ぶ。なお、前挟持部７８ａは、前挟持部７１ａと同様に、反射部材６の前側の上端部を固定可能に形成されている。後挟持部７８ｂは、後挟持部７１ｂと同様に、反射部材６の後側の上端部を固定可能に形成されている。ばね部７９は、例えば、長手方向に延びるばね性を有する板材が蛇腹形状に折り曲げられて形成されている。ばね部７９は、前後方向の寸法が前側板２４の後面と接触した状態の前挟持部７８ａから、後側板２５の前面と接触した状態の後挟持部７８ｂまでの距離としてのＤ３よりも大きくなるように形成されている。そして、図９に示すように前側板２４の後面に接触した前挟持部７８ａと、後側板２５の前面に接触した後挟持部７８ｂとの間に、ばね部７９を配置する。このとき、ばね部７９は、前挟持部７８ａと後挟持部７８ｂとにより、前後方向の内側に押されて弾性変形する。そして、ばね部７９の弾性復元力により前側板２４の後面に前挟持部７８ａが固定され、後側板２５の前面に後挟持部７８ｂが固定される。よって、固定部材７を介して、反射部材６を本体１内に固定させることができる。
【００４３】
上述のように実施形態に係る照明装置４は、少なくとも１つの側面２に開口部２ａを有する箱型の本体１内に収容されている。照明装置４は、開口部２ａを塞いでいるパネル３３を通して本体１の外に光を照射する。照明装置４では、本体１内において、パネル３３の厚み方向と交差する方向の一つの端を本体１内における第１端とし、第１端と対向する端を第２端とする。照明装置４は、本体１内において、第１端の側に設けられた光源５２を備えている。また、照明装置４は、本体１内において、第２端の側に設けられた反射部材６を備えている。照明装置４は、本体１の内側に対して、反射部材６を固定する固定部材７を備えている。反射部材６は、光源５２の光を反射して、パネル３３から外方へ出射させている。さらに、反射部材６は、シート状かつ可撓性を有する材料で形成されている。
【００４４】
実施形態に係る照明装置４が上述のように構成されているので、作業者は、施工の現場で、本体１の大きさや固定部材７の大きさに応じて、反射部材６を切断することができる。よって、特許文献１記載の板状のステンレス等の金属材料で形成された反射部材に比べて、施工の現場で反射部材６を容易に加工することができる。したがって、施工の現場において、１種類の反射部材６で、寸法が異なる複数種類の本体１に対応させることができる。よって、寸法の異なる複数種類の本体１に対応可能な照明装置４を提供することが可能である。
【００４５】
実施形態に係る照明装置４において、反射部材６は、長尺の材料で形成されている。反射部材６の長さ方向の中央部が光源５２の近傍に至るまで、反射部材６は第２端の側から第１端の側まで設けられている。
【００４６】
実施形態に係る照明装置４において、反射部材６は、１枚の材料で形成することができる。したがって、複数枚の材料で形成された反射部材に比べて、少ない部品数の固定部材７により、本体１の内側に反射部材６を固定することができる。
【００４７】
また、実施形態に係る照明装置４において、反射部材６は、合成樹脂又はガラス繊維で形成されている。
【００４８】
実施形態に係る照明装置４が上述のように構成されれば、反射部材６の単位体積あたりの比重を小さくすることができる。よって、反射部材６の移動に要する手間や時間を低減することが可能である。また、鋏９００等を用いて反射部材６を加工することができる。よって、反射部材６の加工に要する手間や時間を低減することが可能である。
【００４９】
また、実施形態に係る照明装置４において、固定部材７は、本体１内において、第１端から第２端に向かうにつれて、パネル３３に近付くように、反射部材６を本体１内に固定する。
【００５０】
実施形態に係る照明装置４が上述のように構成されれば、本体１の上端側から外方へ出射される光の量を増加させることができる。よって、発光面（パネル３３の表面）の上端側において、輝度が低減されることが抑制されており、良好な均斉度を得ることができる。
【００５１】
実施形態に係る照明装置４において、照明装置４は、本体１内に固定された軸部５５を備えている。軸部５５は、パネル３３の厚み方向及び第１端と第２端とを結ぶ方向に対して直交する方向に延びる棒状に形成されている。反射部材６は、反射部材６の長手方向の途中部分６ａが、第１端側から軸部５５に接触した状態で、第２端側の両端部が固定部材７により本体１内に固定されている。
【００５２】
実施形態に係る照明装置４が上述のように構成されれば、固定部材７が反射部材６の上側の両端部を天板２２に固定させていることに加えて、軸部５５の周面が反射部材６の途中部分６ａを固定させることができる。よって、固定部材７のみが反射部材６を本体１内に固定させる場合に比べて、反射部材６を本体１内に確実に固定させることができる。
【００５３】
実施形態に係る照明装置４において、固定部材７は、挟持部７１を備えている。挟持部７１は、反射部材６の短手方向に沿って、反射部材６の第２端側の端部を挟んだ状態で、本体１内に固定されている。
【００５４】
実施形態に係る照明装置４が上述のように構成されれば、固定部材７は、反射部材６の表面がパネル３３に対向した状態で、反射部材６を本体１内に固定することができる。
【符号の説明】
【００５５】
１  本体
２  側面
２ａ  開口部
４  照明装置
６  反射部材
６ａ  途中部分
７  固定部材
３３  パネル
５２  光源
５５  軸部
７１  挟持部
７８  挟持部
【図１】
2017174557.tif 000003
【図２】
2017174557.tif 000004
【図３】
2017174557.tif 000005
【図４】
2017174557.tif 000006
【図５】
2017174557.tif 000007
【図６】
2017174557.tif 000008
【図７】
2017174557.tif 000009
【図８】
2017174557.tif 000010
【図９】
2017174557.tif 000011